(57)【要約】アイドルまたは半アイドルモードにあるUEは、無線受信信号がスクランブルコードによってスクランブルされているかどうかを決定することであって、そのスクランブルコードは、サービングネットワークノードから受信しローカルに格納されたスクランブルコードのリストにはない、前記決定し（308）、アクセスノードが伝送するブロードキャストシステム情報をそのスクランブルコードを用いて復号するかどうかを、そのスクランブルコードから決定する規則を適用する（310）。この規則（314）は次の通りでもよい：スクランブルコードがリストの中に無い場合、そのスクランブルコードが前回ローカルに格納されていれば、ブロードキャストシステム情報を再度復号しない。別の規則（320）は次の通りでもよい：スクランブルコードがリストの中に無い場合、無線受信した信号に対する測定した信号強度が閾値より高くない限り、システム情報を復号しようとしない。ここで、閾値は絶対値、またはサービングネットワークノードから受信する信号の強度に依存する値であってもよい。【選択図】図３
2014505418.tif 000002
【特許請求の範囲】
【請求項１】
無線受信した信号が、サービングネットワークノードから受信したスクランブルコードのリストの中に無いスクランブルコードによってスクランブルされるかどうかを決定することと；
アクセスノードが伝送するブロードキャストシステム情報を、前記スクランブルコードを用いて復号するかどうかを、前記スクランブルコードから決定する規則を適用することと；
を含む、方法。
【請求項２】
前記決定が、前記ブロードキャストシステム情報を復号することである場合、
前記無線受信した信号を送信したアクセスノードの識別情報を決定するために、前記ブロードキャストシステム情報を復号することと；
前記無線受信した信号の信号強度および前記アクセスノードの識別情報の標示情報をメモリに格納することと、前記標示情報をアップリンク測定報告で送信することと、の少なくとも一つと；
を含む、請求項１に記載の方法。
【請求項３】
前記無線受信した信号がスクランブルコードでスクランブルされると決定することであって、前記スクランブルコードは、ローカルに格納したリストの周波数であって、全ての可能なユニバーサル地上無線アクセス（ＵＴＲＡ）スクランブルコードを使用する周波数の全てをスキャンすることを含む、請求項１または２に記載の方法。
【請求項４】
前記無線受信した信号がスクランブルコードでスクランブルされると決定することであって、前記スクランブルコードは、ローカルに格納したリスト周波数であって、全ての可能なユニバーサル地上無線アクセス（ＵＴＲＡ）スクランブルコード、ただし、前記サービングネットワークノードから受信するスクランブルコードの除外リストにあるスクランブルコードを除くスクランブルコードを使用する周波数の全てをスキャンすることを含む、請求項１または２に記載の方法。
【請求項５】
前記規則は：前記スクランブルコードが前記サービングノードから受信してローカルに格納したリストの中に無い場合、前記スクランブルコードが前回のシステム情報復号によってローカルに格納されていれば、前記ブロードキャストシステム情報を再度復号しないこと、を含む、請求項１から４の何れかに記載の方法。
【請求項６】
前記ブロードキャストシステム情報を再度復号しない規則は、特定の固定時間が経過したとき、およびサービングセルの変化があるとき、の少なくとも一つまで、有効のままである、請求項５に記載の方法。
【請求項７】
前記規則は：前記スクランブルコードが前記サービングノードから受信してローカルに格納したリストの中に無い場合、前記無線受信した信号に対する測定した信号強度が閾値より高くない限り、システム情報を復号しようとしないこと、を含み、
前記閾値は：絶対値、および前記サービングネットワークノードから受信する信号の強度に依存する値、の一つである、請求項１から６の何れかに記載の方法。
【請求項８】
ユーザ装置で実行される、請求項１から７の何れかに記載の方法。
【請求項９】
処理システムを備える装置であって、前記処理システムは少なくとも：
無線受信した信号が、サービングネットワークノードから受信したスクランブルコードのリストの中に無いスクランブルコードによってスクランブルされるかどうかを決定することと；
アクセスノードが伝送するブロードキャストシステム情報を、前記スクランブルコードを用いて復号するかどうかを、前記スクランブルコードから決定する規則を適用することと；
を前記装置に実行させるように構成される、装置。
【請求項１０】
前記決定が、前記ブロードキャストシステム情報を復号することである場合、前記処理システムは少なくとも：
前記無線受信した信号を送信したアクセスノードの識別を決定するために、前記ブロードキャストシステム情報を復号することと；
前記無線受信した信号の信号強度および前記アクセスノードの識別情報の標示情報をメモリに格納することと、前記標示情報をアップリンク測定報告で送信することと、の少なくとも一つと；
を前記装置に実行させるように構成される、請求項９に記載の装置。
【請求項１１】
前記処理システムは、ローカルに格納したリストの周波数であって、全ての可能なユニバーサル地上無線アクセス（ＵＴＲＡ）スクランブルコードを使用する周波数の全てを前記装置にスキャンさせることによって、前記無線受信した信号が前記スクランブルコードでスクランブルされると前記装置に決定させるように構成される、請求項９または１０に記載の装置。
【請求項１２】
前記処理システムは、ローカルに格納したリストの周波数であって、全ての可能なユニバーサル地上無線アクセス（ＵＴＲＡ）スクランブルコード、ただし、前記サービングネットワークノードから受信するスクランブルコードの除外リストにあるスクランブルコードを除くスクランブルコードを使用する周波数の全てを前記装置にスキャンさせることによって、前記無線受信した信号が前記スクランブルコードでスクランブルされると前記装置に決定させるように構成される、請求項９または１０に記載の装置。
【請求項１３】
前記規則は：前記スクランブルコードが前記サービングノードから受信してローカルに格納したリストの中に無い場合、前記スクランブルコードが前回のシステム情報復号によってローカルに格納されていれば、前記ブロードキャストシステム情報を再度復号しないこと、を含む、請求項９から１２の何れかに記載の装置。
【請求項１４】
前記ブロードキャストシステム情報を再度復号しない規則は、特定の固定時間が経過したとき、およびサービングセルの変化があるとき、の少なくとも一つまで、有効のままである、請求項１３に記載の装置。
【請求項１５】
前記規則は：前記スクランブルコードが前記サービングノードから受信してローカルに格納したリストの中に無い場合、前記無線受信した信号に対する測定した信号強度が閾値より高くない限り、システム情報を復号しようとしないこと、を含み、
前記閾値は：絶対値、および前記サービングネットワークノードから受信する信号の強度に依存する値、の一つである、請求項９から１４の何れかに記載の装置。
【請求項１６】
ユーザ装置で実行される、請求項９から１５の何れかに記載の装置。
【請求項１７】
無線受信した信号が、サービングネットワークノードから受信したスクランブルコードのリストの中に無いスクランブルコードによってスクランブルされるかどうかを決定する命令と；
アクセスノードが伝送するブロードキャストシステム情報を、前記スクランブルコードを用いて復号するかどうかを、前記スクランブルコードから決定する規則を適用する命令と；
を含む、コンピュータプログラム。
【請求項１８】
前記決定が、前記ブロードキャストシステム情報を復号することである場合、
前記無線受信した信号を送信したアクセスノードの識別を決定するために、前記ブロードキャストシステム情報を復号する命令と；
前記無線受信した信号の信号強度および前記アクセスノードの識別情報の標示情報をメモリに格納することと、前記標示情報をアップリンク測定報告で送信することと、の少なくとも一つをする命令と；
を含む、請求項１７に記載のコンピュータプログラム。
【請求項１９】
前記規則は：前記スクランブルコードが前記サービングノードから受信してローカルに格納したリストの中に無い場合、前記スクランブルコードが前回のシステム情報復号によってローカルに格納されていれば、前記ブロードキャストシステム情報を再度復号しないこと、を含む、請求項１７または１８に記載のコンピュータプログラム。
【請求項２０】
前記規則は：前記スクランブルコードが前記サービングノードから受信してローカルに格納したリストの中に無い場合、前記無線受信した信号に対する測定した信号強度が閾値より高くない限り、システム情報を復号しようとしないこと、を含み、
前記閾値は：絶対値、および前記サービングネットワークノードから受信する信号の強度に依存する値、の一つである、請求項１７から１９の何れかに記載のコンピュータプログラム。
【発明の詳細な説明】
【技術分野】
【０００１】
本発明の実施例および非限定的実施形態は概して、無線通信システムとその方法，装置，コンピュータプログラムに関する。実施形態によっては、ユーザ装置／携帯端末が復号するシステム情報量の制限方法に関し、特に、アイドルモードや類似の低電力モードにおける制限方法に関する。
【背景】
【０００２】
本出願の明細書および／または添付の図面にて使用される略語の定義は次の通りである：
3GPP： 第3世代パートナーシッププロジェクト（Third Generation Partnership Project）
ANR：自動隣接関係（automatic neighbour relations）
BSIC：基地局識別コード（base transceiver station identity code）
CPICH：共通パイロットチャネル（common pilot channel）
DCH：個別（物理）チャネル（dedicated (physical) channel）
DL：ダウンリンク（基地局からUEに向かう)
EUTRAN：進化型UTRAN（Evolved UTRAN（LTE））
LTE：ロング・ターム・エボリューション（Long Term Evolution）
NCL：隣接セルリスト（neighbour cell list）
Node B：基地局
RRC：無線リソース制御
RSCP：受信信号コード電力（received signal code power）
SI：システム情報
SON：自己最適化ネットワーク（self optimising network）
TDD：時分割複信（time division duplex）
UE：ユーザ装置
UL：アップリンク（UEから基地局へ向かう）
UTRAN：ユニバーサル地上無線アクセスネットワーク（Universal Terrestrial Radio Access Network）
【０００３】
あるセル／基地局から別のセルへの携帯端末／UEのハンドオーバーと再選択のために、無線システムによっては、UEに隣接セルのリストを保持させ、UEが受信する信号電力を測定できるようにする。このRSCPをサービングセルに報告することで、何時、どのセルにUEをハンドオーバーするかをネットワークがより賢く選択できる。
【０００４】
しかし、UEは移動するため、電力供給に制約がある。アイドルモードではUEの電力供給を節約するようになる。しかし、UEは移動してハンドオーバーを必要とするかもしれないため、ハンドオーバーを容易にするべく、アイドルモードであってもUEは隣接セルの測定を行っている。例えば、オペレータがドライブテストを最小化し易くするUTRAN等の無線技術では、アイドルモードのUEは隣接セル測定を行い、それを一時的に格納し、最初に記録した測定が行われた時点よりも後の所定の時刻に、収集・記録した測定データをまとめてネットワークに報告する。これによりUEは、単に隣接セル識別子（ID）と信号強度を報告するためにアイドルモードを止める必要がなくなる。
【０００５】
しかし、UEがこの目的のために用いる隣接セルリスト（NCL）では、UEの現在位置において最新版ではない可能性があるという問題も生じる。UEはサービングセルからNCLを受信する。しかし、アイドルモードのUEが移動することを想定すると、UEがローカルに格納するNCLには、変更されることのない隣接セルしか存在しない可能性と、変更された隣接セルがUEのNCLに無い可能性がある。後者の状況は、例えば、近接マクロセル内における（開放または限定加入者グループセル等の）ピコ／マイクロセルによって生じうる。これは、次の二つの方法の何れかで処理できる。その一つは、UEが単純にそのNCLに無いセルを無視する。ただし、これにより、不正な時刻に、および／または不正なセルに対して不適切なハンドオーバーと再選択を実行する可能性がある。もう一つは、UEがNCLに無いセルを検出し、それらに関する測定を行い、RSCPが十分強いセルを報告する。こうして、電力制約のない候補セルをネットワークに対して最適にハンドオーバーする解析を継続させる。
【０００６】
現在開発中のUTRANシステム（3GPP TSG-RAN WG2 meeting #72等）の傾向では、NCLに無いセルを報告する方法を採用する。3GPPではそれを記録（ログ）ANRと呼ぶ。次の文献も参照されたい：R2- 106257 entitled Discussion on UMTS ANR non CELL_DCH based approach (log approach) by Huawei and HiSilicon；R2- 106442 entitled Method for ANR support in UTRAN by Ericsson and ST Ericsson；R2- 106625 entitled Configuration and Reporting for MDT based ANR by Samsung。以上の文献は全て、3 GPP TSG-RAN WG2 #72（2010年11月15-19日，於米国Jacksonville）で発表されている。こうした提案のある側面は、最小駆動時間（minimum drive time；MDT）の測定のために採用される概念を拡張する。それにより、選択したUEは、自身の状態遷移後のある時点でネットワークに報告され、ネットワークが定期的なネットワーク解析と最適化のために使用する測定を定期的に行う。これは、報告するUEを直接管理することとは区別されている。
【０００７】
携帯端末の電力制約を考慮すれば、UEのNCLに無いセルの測定は問題を引き起こす。具体的には、UEがNCLのセル以外のセルを報告する場合、UEは、その測定報告におけるグローバルセルIDを、NCL以外の測定から識別しなくてはならない。グローバルセルIDの殆どは、セル自身がブロードキャストするシステム情報（SI）から取得可能であるため、UEはNCLに無いセルのSIを復号しなくてはならない。しかし、単に信号強度測定だけのためにこうしたタスクを行う必要はない。
【０００８】
アイドル時間が長くなることで、こうした処理は繰り返し実行され、UEが蓄える電力を無視できないほど浪費する。こうして、多くのユーザにとって携帯電話を購入する際の判断材料の一つである最長アイドル／待機時間を減らすことにもなる。より短時間でも、UEのNCLに無いマクロセルが検出される程に無線チャネルの状態が変化する可能性は十分ある。極めて動的な無線チャネル状態では、同一セルに対する同一UEのRSCPは測定時に信号強度閾値を超えたり下回ったりして、事実上、UEの測定「視野（view）」において現われたり消えたりすることもある。この場合、セルに対するUEのRSCPが閾値を超える度に、同一のセルからの同一のSIをUEは復号し、重複して記録しなくてはならない可能性がある。RSCPが閾値を超える度にSIは復号され、それによって初めて、そのセルが既に記録済みのセルと同一のグローバルIDを有することをUEは認識できる。
【０００９】
以降で詳述する種々の実施形態は、前述の問題を様々な範囲で解決する。
【摘要】
【００１０】
本発明の第1の側面によれば、次の方法が提供される：無線受信信号がスクランブルコードによってスクランブルされているかどうかを決定することであって、そのスクランブルコードは、サービングネットワークノードから受信しローカルに格納されたスクランブルコードのリストにはない、前記決定することと；アクセスノードが伝送するブロードキャストシステム情報をそのスクランブルコードを用いて復号するかどうかを、そのスクランブルコードから決定する規則を適用することと；を含む方法。
【００１１】
本発明の第2の側面によれば、次の装置が提供される：処理システムを備える装置であって、処理システムは、無線受信信号がスクランブルコードによってスクランブルされているかどうかを決定することであって、そのスクランブルコードは、サービングネットワークノードから受信しローカルに格納されたスクランブルコードのリストにはない、前記決定することと；アクセスノードが伝送するブロードキャストシステム情報をそのスクランブルコードを用いて復号するかどうかを、そのスクランブルコードから決定する規則を適用することと；を少なくとも装置に実行させるように構成される、装置。
【００１２】
処理システムは、少なくとも一つのプロセッサとコンピュータプログラムを格納する少なくとも一つのメモリを備えてもよい。
【００１３】
本発明の第3の側面によれば、次のコンピュータプログラムが提供される：無線受信信号がスクランブルコードによってスクランブルされているかどうかを決定することであって、そのスクランブルコードは、サービングネットワークノードから受信しローカルに格納されたスクランブルコードのリストにはない、前記決定することと；アクセスノードが伝送するブロードキャストシステム情報をそのスクランブルコードを用いて復号するかどうかを、そのスクランブルコードから決定する規則を適用することと；の命令を含むコンピュータプログラム。
【００１４】
コンピュータプログラムはコンピュータ可読メモリに格納されてもよい。
【００１５】
これらを含め他の実施形態と側面は、以降で詳しく記述される。さらに、本発明の特徴と有利な点も、添付の図面を参照しながら、ほんの一例として示される本発明の好適な実施形態に関する以降の記述のよって明らかにされる。
【図面の簡単な説明】
【００１６】
【図１】連続するマクロセルと一つのピコセル，一つのサービングマクロセルの制御下でピコセルに向かって移動するUEの概要図である。
【図２】本発明の例示的実施形態を実行するのに適する例示的電子デバイスである、図1のUEと基地局，高次のネットワークノードの簡易ブロック図である。
【図３】本発明の例示的実施形態に従う方法の動作、およびコンピュータ可読メモリに実装されるコンピュータプログラム命令の実行結果を示す論理フロー図である。
【詳細な説明】
【００１７】
まず、例示的環境を示す図1を参照する。図1が示す本発明の例示的実施形態は有利であるように実行されてもよい。簡略化のため、用語「セル」は用語「基地局」と略同義で使用される。基地局は、セルを隣接セルから区別して規定する地理的境界を制御する。図1におけるセルの形状と境界は理想的なものである。実際には、セル境界は通常均質ではなく、構造物や地形による無線妨害・干渉および／または中継局による無線カバレッジの拡大によって不規則な形状をとることもある。図中には、サービングセルAの制御下にあるUE10が示されている。UEはセルGに向かって移動中であり、現在アイドル動作モードであって、セルAとセルGとの境界付近に位置しているものと仮定する。サービングセルAは事前に（UEが最初セルAにハンドオーバーされたとき等に）セルB，C，D，E，G，Hを記載するNCLをUEに送信する。これらのセルの各々はセルAと境界を共有するため、NCLに記載される。UEは、このNCLを自身のローカルメモリに格納し、NCL測定のためにそれを参照する。
【００１８】
UEの現在地において、セルCからのRSCPは非常に弱くて測定されず、ANR測定報告にも記録されない。しかし、これ自体は特に問題ではない。UTRANは、UEの次の測定報告にセルCの測定が無いことから、セルCに対するUEのRSCPは測定閾値より低かったと適切に推測できるからである。
【００１９】
前述の［背景］の節で記述した問題は、例えば、無線状態が非常に良好で、セルFに対するUEのRSCPが、測定を記録する閾値を超える場合に生じる。セルFはUEのNCLになく、UEは、この強いRSCPを発するセルを識別しなくてはならない。同様の問題がセルJのようなミクロセルがある場合でも生じる。セルAからセルHまでは従来のセルラー方式の（マクロ）セルである場合、セルJは宅内基地局や大学・企業内ネットワーク等の限定加入者グループ（CSG）セルであるか、あるいは、一時的にセルGの制御下で組織される（例えば、セルGと共に異機種ネットワークを形成する）マイクロ／ピコセルでありうる。セルJがCSGまたは暫定セルであるため、セルAはセルJを認識できず、セルAがUEに提供するNCLにセルJは無い。しかし、UEはセルJのCSGのメンバである可能性もあり、その場合、セルJが実行可能なハンドオーバーのターゲットであることを意味する。
【００２０】
本発明の例示的実施形態に従えば、ANR測定を目的としてセルのSIを復号するかどうかを決定するために、UEはセルのスクランブルコードを利用する。UEは、そのNCL内に無いセル（非NCLセル）からの信号を横切る場合に適用する一つ以上の規則を有し、その規則によって、UEは非NCLセルのSIを復号すること、または復号しないことを命じられる。この時点で、非NCLセルの信号強度の測定がUEのANR測定報告に報告されるかどうかに関わらず、UEの省電力が実現される。ただし、スクランブルコードが、非NCLセルのSIをUEに復号させる規則となっていることを仮定している。
【００２１】
こうして、スクランブルコードと規則（複数の場合もある）によってUEがSIを復号するが、他の決定プロセスでUEが、報告された非NCLセルの測定を含めないようにする場合であっても、これらの技術には明確な利点がある。より具体的には、実際において、UEがSIを復号する際、非NCLセルの測定が報告されることが期待される。
【００２２】
SI復号用のフィルタであるスクランブルコードは通常、隣接セルが同一コードを使用しないように割り当てられている。SIの復号前に、UEは、NCLセルのスクランブルコードと、UEが以前に復号した（かつ格納した）非NCLセルのスクランブルコードを調べてもよい。こうして、代わる代わる出現・消失するセルのSIを重複して復号する、という前述の問題を回避できる。この場合、UEは直前に復号済みのSIを格納していて、同一のSIを再度復号する必要がない。スクランブルコードはまた、SIの復号要否の決定木における最初のフィルタとして使用されてもよい。例えば、スクランブルコードがNCLに無く、NCLに無いセルのSIを復号する際にUEによって未だ使用されていない場合、SIの復号要否を決定するための次のフィルタとして、NCLセルに用いられたものとは異なるRSCP、または他の信号強度閾値が存在しうることになる。例として、NCLセルを記録する信号強度閾値がx dBである場合、この次のフィルタは、UL報告用の非NCL測定を記録するために、（x＋y）dBの信号強度を閾値として実装されてもよい。
【００２３】
前述でまとめた種々の実施形態は、以下、図3を用いて詳述する。これら例示的実施形態を詳述する前に図2を参照しておく。図2は、本発明の例示的実施形態を実行するのに適する種々の電子デバイスと装置の簡易ブロック図を示す。図2では、無線ネットワーク（基地局22とRNC24）が無線リンク21を介してUE20または携帯端末等の装置と通信するために適している。UE20は、基地局や中継局，より具体的には基地局22等のネットワークアクセスノードを介して通信する。ネットワークはその制御要素であるRNC24を備えてもよく、それは、公衆交換電話網（PSTN）および／またはデータ通信ネットワークやインターネット等のさらに別のネットワークへの接続を提供する。
【００２４】
UE20は次の手段を備える：少なくとも一つのデータプロセッサ（DP）20A等の処理手段；少なくとも一つのコンピュータプログラム（PROG）20Cを格納する、少なくとも一つのコンピュータ可読メモリ（MEM）20B等の記憶手段；一つ以上のアンテナ20Fを介して基地局22と双方向無線通信するための送信機TX20Dと受信機 RX20E等の通信手段。また、MEM20Bに格納される参照番号20Gとして、前述したような、UE20が基地局22から受信したNCLと、UE20が測定してANR測定報告で伝送されるまで格納される記録データ、非NDLセルのSIを復号するかどうかを決定する一つまたは複数の規則もある。これらは以下で詳述する。
【００２５】
基地局22も次の手段を備える：少なくとも一つのデータプロセッサ（DP）22A等の処理手段；少なくとも一つのコンピュータプログラム（PROG）22Cを格納する、少なくとも一つのコンピュータ可読メモリ（MEM）22B等の記憶手段；一つ以上のアンテナ22Fを介してUE20と双方向無線通信するための送信機TX22Dと受信機 RX22E等の通信手段。基地局22とRNC24とを繋ぐデータおよび／または制御通信路25と、基地局22と他の基地局／アクセスノードとを繋ぐデータおよび／または制御通信路23もある。
【００２６】
同様に、RNC24は次の手段を備える：少なくとも一つのデータプロセッサ（DP）24 A等の処理手段；少なくとも一つのコンピュータプログラム（PROG）24Cを格納する、少なくとも一つのコンピュータ可読メモリ（MEM）24B等の記憶手段；データ／制御通信路25を介して基地局22と双方向無線通信するためのモデム24H等の通信手段。UE20や基地局22で特に図示してしないが、これらのデバイスは無線通信手段の一部としてモデムを備えるものと想定してもよい。モデムは、これらのデバイス20，22内でTX20D／22DとRX20E／22Eを実行する無線フロントエンドチップに内蔵されてもよい。
【００２７】
UE20の少なくとも一つのPROG20Cは、プログラム命令を含むと想定される。プログラム命令は、関連するDP20Aで実行されると、デバイスを本発明の実施形態に従って実行させられる。以下、これについてさらに詳述する。基地局22とRNC24もソフトウェアを備えてよい。ソフトウェアは、UEがどの規則を使用しているかを知ることでUEから受信するANR測定報告を処理および解析するために、本技術のある側面を実装する。この点において、本発明の例示的実施形態は、UE20のDP20Aおよび／または基地局22のDP22A，ハードウェア，または有形の格納されたソフトウェアとハードウェア（および有形の格納されたファームウェア）の組み合わせが実行する、MEM20B，22Bに格納されるコンピュータプログラムによって少なくとも部分的に実装されてもよい。本発明のこれらの側面を実装する電子デバイスは、UE20や基地局22全体である必要はないが、例示的実施形態は、前述の有形の格納されたソフトウェアやハードウェア，ファームウェアとDP，システム・オン・チップ（SOC），特定用途向け集積回路（ASIC）等の一つ以上の同種の構成要素で実装されてもよい。
【００２８】
一般に、ユーザ端末20の種々の実施形態は、携帯電話や無線通信機能をサポートするパーソナル・ポータブル・デジタルデバイスを含むが、これらに限定されない。パーソナル・ポータブル・デジタルデバイスはラップトップ／パームトップ／タブレットコンピュータやデジタルカメラ，音楽デバイス，インターネット家電製品等を含むが、これらに限定されない。
【００２９】
コンピュータ可読MEM20B・22Bの種々の実施形態は、当該技術分野に適合するあらゆる種類のデータ記憶技術を含み、半導体ベースの記憶デバイスや磁気記憶デバイス・システム，光記憶デバイス・システム，固定メモリ，リムーバブルメモリ，ディスクメモリ，フラッシュメモリ，DRAM，SRAM，EEPROM等を含む。ただし、これらに限定されない。 DP20A・22Aの種々の実施形態は汎用コンピュータや特定用途向けコンピュータ，マイクロプロセッサ，デジタルシグナルプロセッサ（DPS），マルチコアプロセッサを含むが、これらに限定されない。
【００３０】
次に、図3を参照してUE20の視点から特定の例示的実施形態について詳述する。ブロック302，304，306は、SI復号要否の決定の際にスクランブルコードを使用するブロック308，310での実装のための環境を設定する。
【００３１】
ブロック302で、UEは、NCLをサービングセル／基地局から受信する。NCLは、周波数と、NCL内の隣接セルのスクランブルコードやセルの物理ID，BSICのリストを含む。例として、他のセルからのハンドオーバー後のセルでの登録、またはランダムアクセスチャネル（RACH）経由での初期アクセス後の登録の際に、基地局はそれらをUEに送信してもよい。隣接セルはサービングセルの無線アクセス技術と同一である場合も異なる場合もありうることに留意されたい。例として、サービングセルはUTRANセルで、隣接セルはUTRANやEUTRAN，GERAN，GSM，または他の無線技術等、種々のものであってもよい。UE20は、再選択の必要性を評価するために、可能性のある全セルを測定する。
【００３２】
ブロック304で、UEはアイドルモードまたは半アイドルモードにある。UTRANシステムにおけるアイドルモードと半アイドルモードの詳細は以降で記述されるが、他のシステムでは、このアイドル・半アイドルモードに別の名称が使用されうる。具体的には、UTRANのアイドル・半アイドルモードは通常のアイドルモードの加え、次のモードも含まれる：UEがDLのフォワードアクセスチャネル（FACH）を継続して監視する、CELL_FACHモード；UEがアルゴリズムを介してページングチャネル（PCH）を選択し、それを、ページングインジケータチャネル（PICH）を介して監視するために不連続受信サイクル（DRX）を使用する、CELL_PCHモード；CELL_PCHモードに類似するが、CELL_PCHモードにあるセルのレベルよりもユーザ登録エリア（URA）のレベルに対してネットワークがUEの位置を認識している、URA_PCHモード。これらのモードの全ては、ネットワーク制御下のハンドオーバーよりもセル間移動による自律的再選択を実行するUEによって特徴付けられる。UE20が一旦DCHを割り当てられると、UEはアイドルまたは半アイドルモードでなくなる。
【００３３】
アイドルまたは半アイドルモードの間、UE20はブロック306で、自身のメモリに格納されているNCLで、可能性のある全てのUTRAスクランブルコードを利用する周波数のリスト全体をスキャンする。以下で記述する理由のため、サービングセルは、UE20が調査「しない」スクランブルコードのリストを送信してもよい。以下、このリストを「排他リスト（exclusionary list）」とよぶ。この場合、UE20はブロック306で、ローカルに格納したリスト中の周波数で、サービングノードから受信したスクランブルコードの排他リスト中のスクランブルコードを除く、可能性のある全てのUTRAスクランブルコードを利用する周波数全てをスキャンする。
【００３４】
ブロック308で、UE20は、無線受信した信号が、サービングセル／サービングネットワークノードから受信しローカルに格納したスクランブルコードのNCLリストの中に無いスクランブルコードによってスクランブルされるかどうかを決定する。ブロック310で、UE20は、アクセスノードが伝送するブロードキャストシステム情報をそのスクランブルコードを用いて復号する要否をスクランブルコードから決定する規則（実際には複数でもよい）を適用する。スクランブルコードを用いてSIをブロードキャストする「アクセスノード」という用語は、ブロック308でNCLを送信するサービングセル／サービングネットワークノードと区別するために使用される。非限定的な例として、アクセスノードはマクロセル基地局や宅内基地局，CSGのアクセスノード，ピコ／マイクロセルでもよい。前述の規則の幾つかの例は、以降のブロック314と320で詳述する。
【００３５】
ブロック312では、ブロック308でブロードキャストシステム情報を復号すると決定する場合にUE20が取りうる動作がさらに提供される。この場合、UE20は、無線受信した信号を送信したアクセスノードのIDを決定するために、ブロードキャストシステム情報を復号する。そしてUE20は、無線受信した信号の信号強度の標示とアクセスノードIDを含むアップリンク測定報告を送信するか、後で報告するために復号情報を自身のメモリに記録する。ブロック312で、UEは信号強度標示とIDをメモリに記録することと、UL測定報告に含めて送信することとを両方行ってもよい。
【００３６】
ブロック314で、ブロック306における一つの例示的規則が与えられる。この規則は次の通りである：スクランブルコードがサービングノードから受信してローカルに格納したリストの中に無い場合、そのスクランブルコードが前回のシステム情報復号によってローカルに格納されていれば、ブロードキャストシステム情報を再度復号しない。ブロック316と318では、この規則を実装する詳細がさらに提供される。具体的には、ブロードキャストシステム情報を再度復号しない規則は、サービングセルで変更があるまで、ブロック316に従って有効のままとなる。または、ブロック318で、固定時間を経過するまで、例えば、サービングセルでないセルのSIを最初に復号してから10分間経過するまで有効であってもよい。この規則は、スクランブルコードが適切にエリアに計画および割り当てされていて、あらゆるマイクロ／ピコセルとマクロターゲットセルに適用可能であることを仮定している。図1のセルJのようなCSG／フェムト配置といった計画外のネットワークの場合、別のUEが同一のスクランブルコードを用いて異なるCSGセルの報告を行う可能性がある。ブロック318の固定の経過時間を用いる利点は、異なるUEでANRの負荷を分け合うことができ、一つのUEがネットワークに全情報を提供する必要がなくなることである。
【００３７】
ブロック320で、ブロック306における別の例示的規則が与えられる。この規則は次の通りである：スクランブルコードがサービングノードから受信してローカルに格納したリストの中に無い場合、無線受信した信号に対する測定した信号強度が閾値より高くない限り、システム情報を復号しようとしない。この場合、閾値は絶対閾値や、サービングノードから受信した信号の強度に依存する閾値であってもよい。
【００３８】
絶対閾値は、セルのCPICH Ec/Io（受信したパイロットエネルギーEcの、全受信エネルギーまたは全電力スペクトル密度Ioに対する比）やRSCPがその閾値より特定の固定量（x dB）だけ低いときに、UEがSIを復号しないように実装されてもよい。
【００３９】
ANRを実行する際、ハンドオーバーに用いる接続状態の隣接リストに対して最適化するために、この絶対閾値は有用である。それは、ハンドオーバーの決定が絶対閾値に基づくことが多いためである。ネットワークで絶対優先度ベースの再選択が使用される場合、アイドルモードの動作で隣接リストを決定するためにもこの絶対閾値は有用である。
【００４０】
相対信号強度閾値では、信号強度は例えば、セルCPICHのEc/Ioでもよく、測定したRSCPは、サービングセルのものより特定の固定量（x dB）だけ低い、あるいは、サービングセルのものよりも良い特定の固定量に対してよりも少なくてもよい。これは効率的な規則であって、（オペレータが意図的に選択した）弱いセルによって確立する隣接関係は不要であってもよい。また、SIブロックを復号することで、そうした弱いセルに対する接続に失敗する可能性が高まるか、通常強度の隣接セルに対してよりもかなり長い時間が掛かる（したがって、バッテリへの影響もより大きくなる）ことになる。ネットワークの視点では、これらの隣接セルを別のUEが復号して記録できるというさらなる利点がある。特に、（セル再選択／ハンドオーバーに使用される）アイドルモードの隣接リストに対して最適化する際は、サービングセルに対する閾値に基づきうる再選択規則に従って、セルがより適切に順位付けされる場合に、隣接関係が最も有用である。
【００４１】
種々の実装において、復号するブロック318で記載した閾値（複数でもよい）は、UTRANネットワークがANR構成の一部として（ブロック302等で）標示してもよい。または、処理手順を規定する仕様書で決め打ちされてもよく、閾値を決定できる余地をUEに実装してもよい。
【００４２】
検出可能なセルがネットワークオペレータによってNCLから意図的に除外される場合もあることに留意することは重要である。例えば、物理的に隣接するセルが国／行政の境界エリアにあって、異なるネットワークオペレータに属する場合などがそれである。この場合、例示的実施形態では、サービングセルは、UEが検出される場合に記録しないようにするスクランブルコードのリストや範囲を標示する。絶対閾値と現行サービングセルに対する相対閾値の両方とも、排他記録リストにおいて取り扱われてもよい。
【００４３】
例示的かつ実践的実施形態では、UEがサービングセルから受信するNCLはスクランブルコードとNCLのセルに対する周波数を有し、UEはアイドルモードの間、可能性のある全UTRAスクランブルコードを探索する。この非NCLスクランブルコード探索は、NCLにリストされるセルの探索と比較してより低いレートで実行される。UEは、この低レートの探索をNCLに含まれる全周波数に関して実行できる。NCLリストに無いセルが検出されると、スクランブルコードと図3に関して詳述した例示的規則に基づいて、SIブロックの復号要否が決定される。
【００４４】
こうした例示的実施形態の技術的効果により、UEのバッテリ寿命を延すことができる。場合によっては、個別のUEの記録にネットワークに対する情報が少ないという動作上のコストがあるが、前述の例示的規則は、この影響を最小限にすることを目的としている。例えば、ある短時間に同一の地理的エリアにおける同一のスクランブルコードは、重複した情報しか与えない。しかしこれも、複数のUEがANRに使用されうることで緩和される。
【００４５】
図3は論理フロー図であって、方法の動作と、コンピュータ可読メモリに実装されるコンピュータプログラム命令の実行結果、電子デバイスが動作するように、その電子デバイスの要素が構成される特定の方法を示すものと見做される。図3の種々のブロックも、接続して論理回路を構成する複数の要素として、関連する機能やメモリに格納されるコンピュータプログラム命令の記述の特定に結果を実行するものと見做される。
【００４６】
こうしたブロックとそれらが示す機能は、非限定的な実施例であって、集積回路チップやモジュール等の種々の要素で実行されてもよい。本発明の例示的実施形態は、集積回路として実装される装置で実現されうる。集積回路または回路は、少なくとも１つ以上のデータプロセッサ、デジタル信号プロセッサやプロセッサ、ベースバンド回路、および本発明の例示的実施形態に従って動作するように構成される無線周波数回路を実装する回路（ファームウェアである可能性もある）を含んでもよい。
【００４７】
上述した本発明の例示的実施形態への種々の修正変更は、上記記述を考慮すれば、関連する技術分野の当業者には明白となりうる。前述の例示的実施形態はUTRANシステムに関して記述されてきたが、当然のことながら、本発明の例示的実施形態は例示した特定の種類の無線通信システムのみで使用可能と限定されるものではなく、GERANやGSM等の他の無線通信システムにおいても有用である。
【００４８】
さらに前述で使用した種々の名称（例えば、NCLや種々のアイドルモードとチャネルの名称等）は、様々な無線技術において類似の概念に異なる用語が用いられることから、如何なる側面においても限定するものではない。UTRANの特定用語は、本明細書の記載する本発明の概念を記述するためのより具体的な実施例を与える目的で使用されている。前述の非限定的実施形態の種々の特徴は、対応する他で記載の特徴を用いなくても有用でありうる。したがって、前述した記載は、本発明の原理、教示そして例示的実施形態を単に説明しているに過ぎず、それらを限定するものではないことを留意すべきである。
【図１】
2014505418.tif 000003
【図２】
2014505418.tif 000004
【図３】
2014505418.tif 000005
【国際調査報告】
2014505418.tif 000006
2014505418.tif 000007
2014505418.tif 000008
2014505418.tif 000009